(57)【要約】      （修正有）【課題】セルラネットワークにおいてアクセスポイントの位置を判定する。【解決手段】第１の基地局１２０は、第１の基地局１２０及び第２の基地局１３０の無線有効範囲内の少なくとも１つのユーザ機器１１０についての位置情報に基づいて、自局の位置を判定する。第１の基地局１２０は、少なくとも１つのユーザ機器１１０についての位置要求を第２の基地局１３０へ送り、ユーザ機器１１０についての位置情報を第２の基地局１３０から受け取り、位置情報に基づいて自局についての位置推定値を判定する。第２の基地局１３０は、第１の基地局１２０についての位置要求を受け取り、少なくとも１つのユーザ機器１１０についての位置情報を取得し、位置情報に基づいて第１の基地局１２０についての位置推定値を判定し、位置推定値を第１の基地局１２０へ送ってもよい。【選択図】図３Ａ
2014225899.tif 000002
【特許請求の範囲】
【請求項１】
セルラ通信ネットワークにおいて測位を実行する方法であって、
少なくとも１つのユーザ機器（ＵＥ）についての少なくとも１つの位置要求を第１の基地局から第２の基地局へ送ることであって、前記少なくとも１つのＵＥは、前記第１及び第２の基地局の双方の無線有効範囲内にあることと、
前記少なくとも１つのＵＥについての位置情報を前記第２の基地局から受け取ることと、
前記少なくとも１つのＵＥについての前記位置情報に基づいて前記第１の基地局についての位置推定値を判定することと
を備える方法。
【請求項２】
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと
を備える、請求項１に記載の方法。
【請求項３】
前記第１の基地局についての前記位置推定値を判定することは、
前記少なくとも１つのＵＥについての複数の往復時間（ＲＴＴ）測定値を取得することと、
前記少なくとも１つのＵＥについての複数の位置推定値を前記位置情報から取得することと、
前記複数のＲＴＴ測定値及び前記少なくとも１つのＵＥについての前記複数の位置推定値に基づき前記第１の基地局についての前記位置推定値を判定することと
を備える、請求項１に記載の方法。
【請求項４】
前記少なくとも１つのＵＥは複数のＵＥを備え、前記位置情報は前記複数のＵＥについての複数の位置推定値を備え、前記第１の基地局についての前記位置推定値は、前記複数のＵＥについての前記複数の位置推定値に基づき判定される、請求項１に記載の方法。
【請求項５】
前記少なくとも１つのＵＥは単一のＵＥを備え、前記位置情報は、前記単一のＵＥについて異なる時間に取得された複数の位置推定値を備え、前記第１の基地局についての前記位置推定値は、前記単一のＵＥについての前記複数の位置推定値に基づき判定される、請求項１に記載の方法。
【請求項６】
前記第１の基地局は、フェムトセルのために無線有効範囲を提供するホーム基地局を備え、前記第２の基地局は前記フェムトセルを包含するマクロセルのために無線有効範囲を提供する、請求項１に記載の方法。
【請求項７】
前記少なくとも１つのＵＥは、前記第１の基地局へのアクセスを許可されていないＵＥを備える、請求項１に記載の方法。
【請求項８】
無線通信装置であって、
少なくとも１つのプロセッサを備え、前記プロセッサは、少なくとも１つのユーザ機器（ＵＥ）についての少なくとも１つの位置要求を第１の基地局から第２の基地局へ送るように構成され、前記少なくとも１つのＵＥは前記第１及び第２の基地局の双方の無線有効範囲内にあり、前記プロセッサは、前記少なくとも１つのＵＥについての位置情報を前記第２の基地局から受け取り、前記少なくとも１つのＵＥについての前記位置情報に基づき前記第１の基地局についての位置推定値を判定するように構成される、装置。
【請求項９】
前記少なくとも１つのプロセッサは、前記少なくとも１つのＵＥについての複数の位置推定値を前記位置情報から取得し、前記少なくとも１つのＵＥについての前記複数の位置推定値を平均し、前記第１の基地局についての前記位置推定値を取得するように構成される、請求項８に記載の装置。
【請求項１０】
前記少なくとも１つのプロセッサは、前記少なくとも１つのＵＥについての複数の往復時間（ＲＴＴ）測定値を取得し、前記少なくとも１つのＵＥについての複数の位置推定値を前記位置情報から取得し、前記少なくとも１つのＵＥについての前記複数のＲＴＴ測定値及び前記複数の位置推定値に基づき前記第１の基地局についての前記位置推定値を判定するように構成される、請求項８に記載の装置。
【請求項１１】
セルラ通信ネットワークにおいて測位を実行する装置であって、
少なくとも１つのユーザ機器（ＵＥ）についての少なくとも１つの位置要求を第１の基地局から第２の基地局へ送る手段であって、前記少なくとも１つのＵＥは前記第１及び第２の基地局の双方の無線有効範囲内にある、手段と、
前記少なくとも１つのＵＥについての位置情報を前記第２の基地局から受け取る手段と、
前記少なくとも１つのＵＥについての前記位置情報に基づき前記第１の基地局についての位置推定値を判定する手段と
を備える装置。
【請求項１２】
前記第１の基地局についての前記位置推定値を判定する手段は、
前記少なくとも１つのＵＥについての複数の位置推定値を前記位置情報から取得する手段と、
前記少なくとも１つのＵＥについての前記複数の位置推定値を平均し、前記第１の基地局についての前記位置推定値を取得する手段と
を備える、請求項１１に記載の装置。
【請求項１３】
前記第１の基地局についての前記位置推定値を判定する手段は、
前記少なくとも１つのＵＥについての複数の往復時間（ＲＴＴ）測定値を取得する手段と、
前記少なくとも１つのＵＥについての複数の位置推定値を前記位置情報から取得する手段と、
前記少なくとも１つのＵＥについての前記複数のＲＴＴ測定値及び前記複数の位置推定値に基づき前記第１の基地局についての前記位置推定値を判定する手段と
を備える、請求項１１に記載の装置。
【請求項１４】
コンピュータ・プログラムプロダクトであって、
コンピュータ読み取り可能媒体を備え、前記コンピュータ読み取り可能媒体は、
少なくとも１つのコンピュータに、少なくとも１つのユーザ機器（ＵＥ）についての少なくとも１つの位置要求を第１の基地局から第２の基地局へ送ることを実行させるコードであって、前記少なくとも１つのＵＥは前記第１及び第２の基地局の双方の無線有効範囲内にある、コードと、
前記少なくとも１つのコンピュータに、前記少なくとも１つのＵＥについての位置情報を前記第２の基地局から受け取ることを実行させるコードと、
前記少なくとも１つのコンピュータに、前記少なくとも１つのＵＥについての前記位置情報に基づき前記第１の基地局についての位置推定値を判定することを実行させるコードと
を備えるコンピュータ・プログラムプロダクト。
【請求項１５】
前記コンピュータ読み取り可能媒体は、
前記少なくとも１つのコンピュータに、前記少なくとも１つのＵＥについての複数の位置推定値を前記位置情報から取得することを実行させるコードと、
前記少なくとも１つのコンピュータに、前記少なくとも１つのＵＥについての前記複数の位置推定値を平均し、前記第１の基地局についての前記位置推定値を取得することを実行させるコードと
を更に備える、請求項１４に記載のコンピュータ・プログラムプロダクト。
【請求項１６】
前記コンピュータ読み取り可能媒体は、
前記少なくとも１つのコンピュータに、前記少なくとも１つのＵＥについての複数の往復時間（ＲＴＴ）測定値を取得することを実行させるコードと、
前記少なくとも１つのコンピュータに、前記少なくとも１つのＵＥについての複数の位置推定値を前記位置情報から取得することを実行させるコードと、
前記少なくとも１つのコンピュータに、前記少なくとも１つのＵＥについての前記複数のＲＴＴ測定値及び前記複数の位置推定値に基づき前記第１の基地局についての前記位置推定値を判定することを実行させるコードと
を更に備える、請求項１４に記載のコンピュータ・プログラムプロダクト。
【請求項１７】
セルラ通信ネットワークにおいて測位を実行する方法であって、
少なくとも１つのユーザ機器（ＵＥ）についての少なくとも１つの位置要求を受け取ることであって、前記少なくとも１つの位置要求は第１の基地局から第２の基地局へ送られ、前記少なくとも１つのＵＥは前記第１及び第２の基地局の双方の無線有効範囲内にあることと、
前記少なくとも１つの位置要求に応答して前記少なくとも１つのＵＥについての位置情報を取得することと、
前記少なくとも１つのＵＥについての前記位置情報を前記第２の基地局から前記第１の基地局へ送ることであって、前記位置情報は、前記第１の基地局についての位置推定値を判定するため前記第１の基地局によって使用されることと
を備える方法。
【請求項１８】
セルラ通信ネットワークにおいて測位を実行する方法であって、
第１の基地局についての位置要求を第２の基地局へ送ることと、
前記第１の基地局についての位置推定値を前記第２の基地局から受け取ることであって、前記位置推定値は、前記第１及び第２の基地局の双方の無線有効範囲内の少なくとも１つのユーザ機器（ＵＥ）について取得された位置情報に基づいて判定されることと
を備える方法。
【請求項１９】
セルラ通信ネットワークにおいて測位を実行する方法であって、
第１の基地局についての位置要求を第２の基地局で受け取ることと、
前記第１及び第２の基地局の双方の無線有効範囲内の少なくとも１つのユーザ機器（ＵＥ）についての位置情報を取得することと、
前記少なくとも１つのＵＥについての位置情報に基づいて前記第１の基地局についての位置推定値を判定することと、
前記位置推定値を前記第１の基地局へ送ることと
を備える方法。
【請求項２０】
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと
を備える、請求項１９に記載の方法。
【請求項２１】
前記第１の基地局についての前記位置推定値を判定することは、
前記少なくとも１つのＵＥについての複数の往復時間（ＲＴＴ）測定値を取得することと、
前記少なくとも１つのＵＥについての複数の位置推定値を前記位置情報から取得することと、
前記少なくとも１つのＵＥについての前記複数のＲＴＴ測定値及び前記複数の位置推定値に基づき前記第１の基地局についての前記位置推定値を判定することと
を備える、請求項１９に記載の方法。
【請求項２２】
前記少なくとも１つのＵＥについての前記複数のＲＴＴ測定値を取得することは、
少なくとも１つのＲＴＴ要求を前記第１の基地局へ送ることと、
前記少なくとも１つのＵＥについての前記複数のＲＴＴ測定値を前記第１の基地局から受け取ることと
を備える、請求項２１に記載の方法。
【請求項２３】
前記少なくとも１つのＵＥについての前記複数のＲＴＴ測定値を取得することは、前記複数のＲＴＴ測定値を前記少なくとも１つのＵＥから受け取ることを備える、請求項２１に記載の方法。
【請求項２４】
前記少なくとも１つのＵＥのリストを前記第１の基地局から受け取ることを更に備える、請求項１９に記載の方法。
【請求項２５】
前記少なくとも１つのＵＥから受け取られた測定値レポートに基づいて前記少なくとも１つのＵＥを特定すること
を更に備える、請求項１９に記載の方法。
【請求項２６】
前記少なくとも１つのＵＥは複数のＵＥを備え、前記位置情報は前記複数のＵＥについての複数の位置推定値を備え、前記第１の基地局についての前記位置推定値は、前記複数のＵＥについての前記複数の位置推定値に基づき判定される、請求項１９に記載の方法。
【請求項２７】
前記少なくとも１つのＵＥは単一のＵＥを備え、前記位置情報は、単一のＵＥについて異なる時間に取得された複数の位置推定値を備え、前記第１の基地局についての前記位置推定値は、前記単一のＵＥについての前記複数の位置推定値に基づき判定される、請求項１９に記載の方法。
【請求項２８】
前記少なくとも１つのＵＥについての前記位置情報を取得すること及び前記第１の基地局についての前記位置推定値を判定することは、前記第１の基地局についての前記位置要求を受け取ることの前に実行され、前記位置推定値を前記第１の基地局へ送ることは、前記位置要求の受け取りに応答して実行される、請求項１９に記載の方法。
【請求項２９】
前記第１の基地局を備える複数の基地局についての位置推定値のデータベースを保持することと、
前記複数の基地局の無線有効範囲内のＵＥについての位置推定値が利用可能になったとき、前記複数の基地局についての前記位置推定値を更新することと
を更に備える、請求項１９に記載の方法。
【請求項３０】
前記第１の基地局は、フェムトセルのために無線有効範囲を提供するホーム基地局を備え、前記第２の基地局は、前記フェムトセルを包含するマクロセルのために無線有効範囲を提供する、請求項１９に記載の方法。
【請求項３１】
前記少なくとも１つのＵＥは、前記第１の基地局へのアクセスを許可されていないＵＥを備える、請求項１９に記載の方法。
【請求項３２】
無線通信装置であって、
第１の基地局についての位置要求を第２の基地局で受け取り、前記第１及び第２の基地局の双方の無線有効範囲内の少なくとも１つのユーザ機器（ＵＥ）についての位置情報を取得し、前記少なくとも１つのＵＥについての前記位置情報に基づき前記第１の基地局についての位置推定値を判定し、前記位置推定値を前記第１の基地局へ送るように構成される少なくとも１つのプロセッサを備える、装置。
【請求項３３】
前記少なくとも１つのプロセッサは、前記少なくとも１つのＵＥについての複数の位置推定値を前記位置情報から取得し、前記少なくとも１つのＵＥについての前記複数の位置推定値を平均し、前記第１の基地局についての前記位置推定値を取得するように構成される、請求項３２に記載の装置。
【請求項３４】
前記少なくとも１つのプロセッサは、前記少なくとも１つのＵＥについての複数の往復時間（ＲＴＴ）測定値を取得し、前記少なくとも１つのＵＥについての複数の位置推定値を前記位置情報から取得し、前記少なくとも１つのＵＥについての前記複数のＲＴＴ測定値及び前記複数の位置推定値に基づき前記第１の基地局についての前記位置推定値を判定するように構成される、請求項３２に記載の装置。
【請求項３５】
前記少なくとも１つのプロセッサは、少なくとも１つのＲＴＴ要求を前記第１の基地局へ送り、前記少なくとも１つのＵＥについての前記複数のＲＴＴ測定値を前記第１の基地局から受け取るように構成される、請求項３４に記載の装置。
【請求項３６】
セルラ通信ネットワークにおいて測位を実行する方法であって、
ユーザ機器（ＵＥ）についての位置要求を前記ＵＥで受け取ることであって、前記ＵＥは第１及び第２の基地局の双方の無線有効範囲内にあることと、
前記第２の基地局を用いて測位を実行して前記ＵＥについての位置推定値を取得することであって、前記ＵＥについての前記位置推定値は、前記第１の基地局についての位置推定値を判定するために使用されることと
を備える方法。
【請求項３７】
前記ＵＥについての前記位置推定値を前記第１の基地局へ送ること
を更に備える、請求項３６に記載の方法。
【請求項３８】
前記第１の基地局とシグナリングを交換して往復時間（ＲＴＴ）測定値を取得すること、及び前記第１の基地局についての前記位置推定値は更に前記ＲＴＴ測定値に基づいて判定されること
を更に備える、請求項３６に記載の方法。
【請求項３９】
前記ＵＥについての第２の位置要求を後続の時間に受け取ることと、
前記第２の位置要求に応答して前記第２の基地局を用いる測位を実行し、前記ＵＥについての第２の位置推定値を取得し、前記ＵＥについての前記第２の位置推定値は、前記第１の基地局についての前記位置推定値を判定するために使用されることと
を更に備える、請求項３６に記載の方法。
【請求項４０】
前記第１の基地局を前記ＵＥによって検出可能であるとして特定する測定値レポートを前記第２の基地局へ送ること
を更に備える、請求項３６に記載の方法。
【請求項４１】
無線通信装置であって、
ユーザ機器（ＵＥ）についての位置要求を前記ＵＥで受け取り、前記ＵＥは第１及び第２の基地局の双方の無線有効範囲内にあり、前記第２の基地局を用いる測位を実行して前記ＵＥについての位置推定値を取得し、前記ＵＥについての前記位置推定値は、前記第１の基地局についての位置推定値を判定するために使用されるように構成される少なくとも１つのプロセッサを備える、装置。
【請求項４２】
前記少なくとも１つのプロセッサは、前記第１の基地局とシグナリングを交換して往復時間（ＲＴＴ）測定値を取得するように構成され、前記第１の基地局についての前記位置推定値は更に前記ＲＴＴ測定値に基づいて判定される、請求項４１に記載の装置。
【請求項４３】
前記少なくとも１つのプロセッサは、前記第１の基地局を前記ＵＥによって検出可能であるとして特定する測定値レポートを前記第２の基地局へ送るように構成される、請求項４１に記載の装置。
【発明の詳細な説明】
【技術分野】
【０００１】
３５Ｕ.Ｓ.Ｃ.§１１９に基づく優先権主張
本願は、２００７年６月２１日に出願され、本願の譲受人に譲渡された、発明の名称が「ホーム・アクセスポイントの位置を判定する方法及び装置（METHOD AND APPARATUS FOR DETERMINING POSITION OF HOME ACCESS POINTS）」である米国仮特許出願第６０／９４５,４９８号への優先権を主張する。この仮出願は、参照により本明細書に組み入れられる。
【０００２】
本開示は、一般的には通信に関し、更に具体的には、セルラ通信ネットワークにおける測位を実行する手法に関する。
【背景技術】
【０００３】
セルラ通信ネットワークにおいて、ユーザ機器（ＵＥ）の位置を知ることは、多くの場合望ましく、時には必要である。「位置（position）」及び「場所（location）」の用語は同じ意味であり、本明細書では互換的に使用される。例えば、ユーザはＵＥを使用してウェブサイトを閲覧し、場所に依存した（location sensitive）コンテンツをクリックする。その後、ＵＥの位置が判定され、適切なコンテンツをユーザへ提供するために使用される。他の例として、ユーザはＵＥを使用して緊急呼び出しを行う。その後、ＵＥの位置が判定され、緊急支援をユーザへ送るために使用される。ＵＥ位置の知識が有用又は必要な他の多くのシナリオが存在する。
【０００４】
ＵＥの位置は、セルラネットワークにおける１つ又は複数の基地局についてのタイミング測定値及び／又は既知の基地局の位置に基づいて推定される。幾つかの場合、基地局は自局の位置を自律的に判定する能力を有さず、及び／又は基地局の位置は従来の手段（例えば、測量）によって入手することができないこともある。そのような場合、基地局の位置を判定することが望ましい。
【発明の概要】
【０００５】
セルラ通信ネットワークにおいて基地局の位置を判定する手法が、本明細書で説明される。一態様では、第１の基地局は、第１の基地局及び第２の基地局の無線有効範囲内の少なくとも１つのＵＥについての位置情報に基づいて、自局の位置を判定する。もしＵＥが基地局からの信号を検出でき、及び／又は基地局がＵＥからの信号を検出できるならば、ＵＥは基地局の無線有効範囲内にある。ＵＥは典型的には１つの基地局から通信サービスを受け取る。もっとも、ＵＥは複数の基地局の無線有効範囲内にあってもよい。第１の基地局は、フェムトセルのために無線有効範囲を提供するホーム基地局（ＢＳ）である。第２の基地局は、フェムトセルよりも大きい（例えば、フェムトセルを包含する）マクロセルのために無線有効範囲を提供する。
【０００６】
一設計では、第１の基地局は、少なくとも１つのＵＥについての少なくとも１つの位置要求を第２の基地局へ送る。第１の基地局は、各位置要求の中で１つ又は複数のＵＥを特定し、又は少なくとも１つのＵＥのリストを第２の基地局へ送る。第２の基地局は、少なくとも１つのＵＥについての位置情報を取得し、位置情報を第１の基地局へ返す。第１の基地局は、次いで位置情報に基づいて自分自身についての位置推定値を判定する。
【０００７】
一設計では、位置情報は、複数のＵＥについての複数の位置推定値を備え、又は単一の移動ＵＥについて異なる時間に取得された複数の位置推定値を備える。第１の基地局は、単一又は複数のＵＥについての複数の位置推定値を平均し、自分自身についての位置推定値を取得する。他の設計では、第１の基地局は、少なくとも１つのＵＥについての複数の往復時間（ＲＴＴ）測定値を取得し、少なくとも１つのＵＥについての複数の位置推定値を位置情報から更に取得する。第１の基地局は、続いて、例えば、三辺測量を使用し、少なくとも１つのＵＥについての複数のＲＴＴ測定値及び複数の位置推定値に基づいて、自分自身についての位置推定値を判定する。
【０００８】
他の態様において、第２の基地局は、第１の基地局についての位置推定値を判定する。
【０００９】
一設計では、第２の基地局は、第１の基地局についての位置要求を受け取り、少なくとも１つのＵＥについての位置情報を取得する。第２の基地局は、続いて、例えば、平均又は三辺測量を使用し、少なくとも１つのＵＥについての位置情報に基づき第１の基地局についての位置推定値を判定する。第２の基地局は、続いてこの位置推定値を第１の基地局へ送る。
【００１０】
本明細書で説明される手法は、ホーム基地局の位置を判定するとき特に有利である。ホーム基地局は、ネットワーク運用者が直接的に知ることなく移動されるかも知れない。ホーム基地局の位置は、緊急呼び出しのシナリオで（例えば、法律執行法の通信支援要件を満たすため）、及び更にＵＥが自分の測位能力を使用できない場合に（例えば、ＧＰＳが屋内で良好に働かない場合に）、ＵＥについての位置推定値として使用される。
【００１１】
開示の様々な態様及び特徴は、この後で更に詳細に説明される。
【図面の簡単な説明】
【００１２】
【図１】図１は、セルラ通信ネットワークを示す。
【図２Ａ】図２Ａは、ＵＥ位置をホーム基地局へ提供するメッセージフローを示す。
【図２Ｂ】図２Ｂは、ＵＥ位置をホーム基地局へ提供するメッセージフローを示す。
【図３Ａ】図３Ａは、母集団平均及び／又は時間平均に基づいてホーム基地局の位置を判定するメッセージフローを示す。
【図３Ｂ】図３Ｂは、母集団平均及び／又は時間平均に基づいてホーム基地局の位置を判定するメッセージフローを示す。
【図４Ａ】図４Ａは、ＲＴＴ測定値を用いる三辺測量に基づいてホーム基地局の位置を判定するメッセージフローを示す。
【図４Ｂ】図４Ｂは、ＲＴＴ測定値を用いる三辺測量に基づいてホーム基地局の位置を判定するメッセージフローを示す。
【図５】図５は、セルラネットワークによってホーム基地局の位置を予備計算するためのメッセージフローを示す。
【図６】図６は、ホーム基地局によってホーム基地局の位置を判定するために、ホーム基地局によって実行されるプロセスを示す。
【図７】図７は、ホーム基地局によってホーム基地局の位置を判定するために、第２の基地局によって実行されるプロセスを示す。
【図８】図８は、第２の基地局によってホーム基地局の位置を判定するために、ホーム基地局によって実行されるプロセスを示す。
【図９】図９は、第２の基地局によってホーム基地局の位置を判定するために、第２の基地局によって実行されるプロセスを示す。
【図１０】図１０は、基地局が測位を行うのを支援するために、ＵＥによって実行されるプロセスを示す。
【図１１】図１１は、ＵＥ、ホーム基地局、第２の基地局、及びＭＭＥ／ＳＡＥゲートウェイのブロック図を示す。
【詳細な説明】
【００１３】
本明細書で説明される手法は、例えば、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及び単一搬送波ＦＤＭＡ（Single-Carrier FDMA（ＳＣ−ＦＤＭＡ））ネットワークなどの様々なセルラ通信ネットワークのために使用され得る。「ネットワーク」及び「システム」の用語は、多くの場合互換的に使用される。ＣＤＭＡネットワークは、例えば、ユニバーサル地上無線接続（Universal Terrestrial Radio Access（ＵＴＲＡ））、ｃｄｍａ２０００などの無線技術を実現する。ＵＴＲＡは、広帯域ＣＤＭＡ（ＷＣＤＭＡ（登録商標））及び他のＣＤＭＡの変形を含む。ｃｄｍａ２０００は、ＩＳ−２０００規格、ＩＳ−９５規格、及びＩＳ−８５６規格をカバーする。ＴＤＭＡネットワークは、例えば、グローバル移動体通信システム（Global System for Mobile Communications（ＧＳＭ（登録商標））、デジタル高度携帯電話システム（Digital Advanced Mobile Phone System（Ｄ−ＡＭＰＳ））などの無線技術を実現する。ＯＦＤＭＡネットワークは、例えば、展開ＵＴＲＡ（Evolved UTRA（Ｅ−ＵＴＲＡ））、ウルトラモバイルブロードバンド（Ultra Mobile Broadband（ＵＭＢ））、ＩＥＥＥ８０２.１１（Ｗｉ−Ｆｉ）、ＩＥＥＥ８０２.１６（ＷｉＭＡＸ）、ＩＥＥＥ８０２.２０、Ｆｌａｓｈ−ＯＦＤＭ（登録商標）などの無線技術を実現する。ＵＴＲＡ及びＥ−ＵＴＲＡはユニバーサル移動体通信システム（Universal Mobile Telecommunication System（ＵＭＴＳ））の一部である。３ＧＰＰロングタームエボリューション（3GPP Long Term Evolution（ＬＴＥ））は、ダウンリンクではＯＦＤＭＡを用い、アップリンクではＳＣ−ＦＤＭＡを用いるＥ−ＵＴＲＡを使用するＵＭＴＳの最新のリリースである。ＵＴＲＡ、Ｅ−ＵＴＲＡ、ＵＭＴＳ、ＬＴＥ、及びＧＳＭ（登録商標）は、「第３世代パートナシッププロジェクト」（3rd Generation Partnership Project (３ＧＰＰ)）という名称の機構からの文書で説明されている。ｃｄｍａ２０００及びＵＭＢは、「第３世代提携プロジェクト２」（3rd Generation Partnership Project 2(３ＧＰＰ２)）という名称の機構からの文書で説明されている。明瞭にするため、これらの手法の或る態様が、ＬＴＥについて以下で説明される。
【００１４】
図１はセルラ通信ネットワーク１００を示す。セルラネットワーク１００はＬＴＥネットワークであってもよい。セルラネットワーク１００は、３ＧＰＰによって説明される基地局及び他のネットワークエンティティを含む。簡単にするため、２つの基地局１２０及び１３０並びに１つの移動管理エンティティ／システムアーキテクチャエボリューション（Mobility Management Entity/System Architecture Evolution（ＭＭＥ／ＳＡＥ））ゲートウェイ１４０のみが図１で示される。基地局はＵＥと通信する局であり、ノードＢ、発展型ノードＢ（ｅＮＢ）、アクセスポイントなどとも呼ばれる。基地局１３０は、例えば、半径１０キロメートル（Ｋｍ）までの比較的大きい地理的領域のために無線有効範囲を提供する。基地局１３０の有効範囲領域は、複数（例えば、３つ）の小さい領域へ区分される。３ＧＰＰにおいて、「マクロセル（macro-cell）」の用語は、この用語が使用される文脈に依存して、基地局１３０の最小有効範囲領域及び／又はこの有効範囲領域にサービス提供する基地局サブシステムを意味し得る。３ＧＰＰ２において、「セクタ」の用語は、基地局の最小有効範囲領域及び／又はこの有効範囲領域にサービス提供する基地局サブシステムを意味し得る。明瞭にするため、セルの３ＧＰＰ概念が以下の説明で使用される。簡単にするため、図１は基地局１３０についての１つのマクロセルを示す。
【００１５】
ホーム基地局（home base station）１２０は、例えば、家庭、小売店、商店などの比較的小さい地理的領域ために無線有効範囲を提供する。ホーム基地局１２０は、ホーム・アクセスポイント（ＨＡＰ）、ホームノードＢ、ホームｅＮＢなどとも呼ばれる。「フェムトセル（femto-cell）」の用語は、ホーム基地局の有効範囲領域及び／又はこの有効範囲領域にサービス提供するホーム基地局サブシステムを意味し得る。ホーム基地局１２０は、制限されたアクセスを、ＵＥの特定のグループへ提供するように構成される。これらのＵＥは、閉じられた加入者グループ（closed subscriber group（ＣＳＧ））に属する。ホーム基地局１２０は、ネットワーク運用者がセルラネットワークの有効範囲を拡張し、容量を増加し、及び／又は他の利点を取得することを可能にする。ホーム基地局１２０はセルラネットワークの一部として考えられ、セルラネットワーク内の他のネットワークエンティティと通信する。ホーム基地局１２０の機能は、公開されている、「３ＧホームノードＢ研究項目技術レポート」（3G Home NodeB Study Item Technical Report）という題名の３ＧＰＰ  ＴＲ２５.８２０で説明されている。
【００１６】
基地局１２０及び１３０は、異なる有効範囲領域及び能力を有する２つの型の基地局である。セルラネットワークは他の型の基地局を含んでもよい。例えば、基地局は中規模の地理的領域のために無線有効範囲を提供してもよい。そのような基地局は、先進的ネットワーク計画なしに、例えば、災害エリア又は軍事ゾーンの中に配備され得る。「ピコセル（pico-cell）」の用語は、そのような基地局の有効範囲領域及び／又はこの有効範囲領域にサービス提供する基地局サブシステムを意味し得る。
【００１７】
基地局１２０及び１３０は、Ｘ２インタフェース（図１には示されていない）を介して相互に直接通信する。Ｘ２インタフェースは論理インタフェース又は物理インタフェースである。また、基地局１２０及び１３０は、Ｓ１インタフェースを介してＭＭＥ／ＳＡＥゲートウェイ１４０と通信する。また、基地局１２０及び１３０は、中継器として動作するＭＭＥ／ＳＡＥゲートウェイ１４０を介して間接的に相互に通信する。ＭＭＥ／ＳＡＥゲートウェイ１４０は、例えば、パケットデータ、ボイスオーバアイピー（ＶｏＩＰ）、ビデオ、メッセージングなどのデータサービスをサポートする。ＭＭＥ／ＳＡＥゲートウェイ１４０は、コアネットワーク及び／又は他のデータネットワーク（例えば、インターネット）へ接続し、これらのネットワークへ接続する他のエンティティ（例えば、遠隔サーバ及び端末）と通信する。基地局１３０及びＭＭＥ／ＳＡＥゲートウェイ１４０の機能は、公開されている、「エボルブドユニバーサル地上無線アクセス（Ｅ−ＵＴＲＡ）及びエボルブドユニバーサル地上無線アクセスネットワーク（Ｅ−ＵＴＲＡＮ）；概要；ステージ２（Evolved Universal Terrestrial Radio Access (E-UTRA) and Evolved Universal Terrestrial Radio Access Network(E-UTRAN); Overall description; Stage 2）」という題名の３ＧＰＰ  ＴＳ３６.３００で説明されている。
【００１８】
ＵＥ１１０は、ダウンリンク及びアップリンクを介して基地局１２０及び／又は１３０と通信する。ダウンリンク（又は順方向リンク）とは、基地局からＵＥへの通信リンクを意味し、アップリンク（又は逆方向リンク）とは、ＵＥから基地局への通信リンクを意味する。ＵＥは固定型または移動型であり、移動局、端末、アクセス端末、加入者ユニット、局などとも呼ばれる。ＵＥは、携帯電話、携帯情報端末（ＰＤＡ）、無線モデム、無線通信デバイス、ハンドヘルドデバイス、ラップトップコンピュータ、コードレス電話などである。
【００１９】
ＵＥは、基地局１２０又は１３０と通信し、例えば、音声、ビデオ、パケットデータ、ブロードキャスト、メッセージングなどの通信サービスを取得する。ＵＥはホーム基地局１２０の無線有効範囲内にありながら、通信サービスについてホーム基地局にアクセスすることができないこともある。これの理由は、例えば、ホーム基地局はホームをカバーし、ＵＥはこのホーム内のホーム基地局にアクセスすることを許可されていない場合がある。ＵＥは、ホーム基地局にアクセスすることを許可されていなくても、ホーム基地局１２０と下位レイヤシグナリングを交換する能力を有する（これは測位に有用である）。
【００２０】
また、ＵＥは、１つ又は複数の衛星１５０から信号を受け取る。衛星１５０は、米国全地球測位システム（ＧＰＳ）、欧州ガリレオシステム、ロシアＧＬＯＮＡＳＳシステム、又は他の何らかの全地球ナビゲーション衛星システム（ＧＮＳＳ）の一部であってもよい。ＵＥは、衛星１５０からの信号を測定し、疑似距離範囲測定値を取得する。ＵＥは、基地局１２０及び／又は１３０からの信号も測定し、タイミング測定値を取得する。疑似距離範囲測定値及び／又はタイミング測定値、並びに衛星１５０、ホーム基地局１２０、及び／又は基地局１３０の既知の位置を使用して、ＵＥの位置推定値を導出する。位置推定値は、場所推定値、位置固定値（position fix）などとも呼ばれる。位置推定値は、例えば、支援ＧＰＳ法（assisted GPS（Ａ−ＧＰＳ））、独立型ＧＰＳ法（standalone GPS）、発展型順方向リンク三辺測量法（Advanced Forward Link Trilateration（Ａ−ＦＬＴ））、強化型観測時間差法（Enhanced Observed Time Difference（Ｅ−ＯＴＤ））、到着観測時間差法（Observed Time Difference Of Arrival（ＯＴＤＯＡ））、強化型セルＩＤ法（Enhanced Cell ID）、セルＩＤ法（Cell ID）などの測位方法の１つ又は組み合わせを使用して導出される。
【００２１】
基地局１３０は、典型的には、ネットワーク運用者によって決定された特定の場所に配備された固定局である。これに対し、ホーム基地局１２０は、ネットワーク運用者が直接的に知ることなく物理的に移動される。結果として、ホーム基地局１２０を介して経路指定されたサービスから位置情報を直接取得することは困難であるか不可能である。これは、例えば緊急呼び出しの際などの或る事態において問題となる。ホーム基地局１２０は、ＧＰＳ受信機（又は他のＧＮＳＳ受信機）が設けられ、自局の位置を自律的に判定してもよい。しかしながら、このＧＰＳ能力はホーム基地局１２０のコストを増加させ、望ましくない。更に、ホーム基地局１２０は、典型的にはＧＰＳ有効範囲が利用できないか信頼できない屋内に配備される。
【００２２】
多くの場合、ホーム基地局１２０の無線有効範囲内にあるＵＥは、位置情報が、例えば、近くの基地局を介して取得された場所サービス（ＬＣＳ）を介して入手可能である。そして、ホーム基地局１２０の位置は、ホーム基地局に可視のＵＥについての位置情報に基づいて判定される。
【００２３】
図２Ａは、ＵＥ１１０の位置をホーム基地局１２０へ提供するメッセージフロー２００の設計を示す。ＵＥ１１０は、図１で示されるＵＥの任意の１つであり、図１における基地局１２０及び１３０の双方の無線有効範囲内にある。ホーム基地局１２０は、位置要求をＵＥ１１０へ送ってＵＥの位置を要求する（ステップａ）。ＵＥ１１０は、メッセージを基地局１３０へ送って測位手順をトリガする（ステップｂ）。この測位手順は、ＵＥ及びセルラネットワークによってサポートされる如何なる測位手順であってもよい。その後、ＵＥ１１０及び基地局１３０（及び場合によって、他のネットワークエンティティ）は、測位手順のためのメッセージを交換する（ステップｃ）。例えば、ＵＥ１１０はＡ−ＧＰＳ測位能力を有し、測位手順から支援データを取得する。次いでＵＥ１１０は、支援データを使用して衛星１５０の疑似距離範囲測定値を取得し、疑似距離範囲測定値及び衛星の既知の位置に基づいて、自装置の位置を判定する。他の例として、ＵＥ１１０は、基地局１３０及び場合によって他の基地局についてのタイミング測定値を取得する。次に、ＵＥ１１０の位置が、タイミング測定値並びに基地局１３０及び場合によって他の基地局の既知の位置に基づいて判定される。ＵＥ１１０の位置は、他のやり方で判定されてもよい。いずれの場合においても、ＵＥ１１０についての位置推定値は、例えば、ＵＥによって計算されるか基地局１３０により提供され、ＵＥで利用手可能となる（ステップｄ）。次に、ＵＥ１１０は、ＵＥについての位置推定値を含む位置レポートをホーム基地局１２０へ送る（ステップｅ）。
【００２４】
図２Ｂは、基地局１３０によってＵＥ１１０の位置をホーム基地局１２０へ提供するメッセージフロー２５０の設計を示す。ＵＥ１１０は、基地局１２０及び１３０の双方の無線有効範囲内にある。ホーム基地局１２０は、位置要求をＵＥ１１０へ送ってＵＥの位置を要求する（ステップａ）。次に、ＵＥ１１０は、メッセージを基地局１３０へ送って測位手順をトリガし（ステップｂ）、測位手順のために基地局１３０とメッセージを交換する（ステップｃ）。ＵＥ１１０についての位置推定値は、例えば、基地局によって計算されるかＵＥにより提供され、基地局１３０で利用可能となる（ステップｄ）。次に、基地局１３０は、ＵＥについての位置推定値を含む位置レポートをホーム基地局１２０へ送る（ステップｅ）。
【００２５】
図２Ａ及び図２Ｂで示されるように、ＵＥ１１０は自装置の位置を判定してもよく、自装置の位置をセルラネットワークに判定させてもよい。第１の場合、ＵＥ１１０は自装置の位置推定値をホーム基地局１２０へ直接送る（例えば、図２Ａで示される）。第２の場合、ＵＥについての位置推定値は、基地局１２０と基地局１３０との間のネットワークインタフェースを介して渡されるか（例えば、図２Ｂで示される）、又は基地局１３０からＵＥへ渡され、次いでＵＥからホーム基地局１２０へ渡される。
【００２６】
図２Ａ及び図２Ｂは、位置要求がホーム基地局１２０からＵＥ１１０へ送られているものとして示している。位置要求は、ホーム基地局１２０から基地局１３０へ送られてもよく、次いで基地局１３０が、位置要求をＵＥ１１０へ転送するか、ＵＥとの測位手順をトリガしてもよい。図２Ａ及び図２Ｂにおけるメッセージは、ＬＴＥによって定義されたメッセージであってもよく、他の技術又は規格のメッセージであってもよい。ホーム基地局１２０は、基地局１３０と直接通信してもよく（例えば、ＬＴＥにおけるＸ２インタフェースを介して）、又は間接的に基地局１３０と通信してもよい（例えば、ＭＭＥ／ＳＡＥゲートウェイ１４０を介して）。
【００２７】
ホーム基地局１２０の位置は、ＵＥ１１０の位置に基づいて判定されてもよい。一設計において、ホーム基地局１２０がＵＥ１１０と同じ場所にあると仮定し、ＵＥについての位置推定値を、ホーム基地局についての位置推定値として使用してもよい。ホーム基地局１２０についてのこの位置推定値の正確度は、ホーム基地局の有効範囲領域に依存する。
【００２８】
このホーム基地局位置推定値の適切度は、具体的な場所ベースの適用の要件に依存する。
【００２９】
例えば、ホーム基地局１２０の有効範囲領域は、直径が数十メートルのオーダであるかも知れない。この場合、ホーム基地局位置推定値は、数十メートルのオーダの不確実性を有する。この位置正確度は、位置情報を要求する幾つかのサービスには十分であるが（例えば、場所別に異なる広告又はローカルマッピングサービス）、他のサービスには不十分である（例えば、家屋が密接に建ち並んだ環境での緊急呼び出し源を位置特定するサービス）。ホーム基地局１２０の位置は、ＵＥ位置推定値が多いほど、これらのＵＥ位置推定値に基づいてより正確に推定される。
【００３０】
図３Ａは、母集団平均に基づいてホーム基地局１２０の位置を一層正確に判定するメッセージフローの設計を示す。ＵＥ１１０ａ及び１１０ｂ（それぞれＵＥ１及びＵＥ２とも呼ぶ）は、基地局１２０及び１３０の双方の無線有効範囲内にある。ＵＥ１１０ａ及び１１０ｂは、基地局１３０と通信することができ、ホーム基地局１２０にアクセスできる場合もアクセスできない場合もある。
【００３１】
ホーム基地局１２０は、位置要求を基地局１３０へ送ってＵＥ１１０ａの位置を要求する（ステップａ）。次に基地局１３０は、メッセージをＵＥ１１０ａへ送って測位手順をトリガし（ステップｂ）、測位手順のためにＵＥ１１０ａとメッセージを交換する（ステップｃ）。基地局１３０は、ＵＥ１１０ａについての位置推定値を測位手順から取得し、この位置推定値を含む位置レポートをホーム基地局１２０へ送る（ステップｄ）。同様に、ホーム基地局１２０は、位置要求を基地局１３０へ送ってＵＥ１１０ｂの位置を要求する（ステップｅ）。次に基地局１３０は、メッセージをＵＥ１１０ｂへ送って測位手順をトリガし（ステップｆ）、測位手順についてＵＥ１１０ｂとメッセージを交換する（ステップｇ）。基地局１３０は、ＵＥ１１０ｂについての位置推定値を測位手順から取得し、この位置推定値を含む位置レポートをホーム基地局１２０へ送る（ステップｈ）。
【００３２】
一般的に、ホーム基地局１２０は、任意の数のＵＥについて任意の数の位置要求を送って、これらのＵＥについての位置推定値を基地局１３０から取得する。次にホーム基地局１２０は、例えば、ＵＥ位置推定値を平均することによって、全てのＵＥについての位置推定値に基づき自局の位置を推定する（ステップｉ）。
【００３３】
図３Ｂは、基地局１３０による母集団平均を用いてホーム基地局１２０の位置を判定するメッセージフロー３５０の設計を示す。ホーム基地局１２０は、位置要求を基地局１３０へ送ってホーム基地局の位置を要求する（ステップａ）。基地局１３０は、メッセージをＵＥ１１０ａへ送って測位手順をトリガし（ステップｂ）、測位手順のためにＵＥ１１０ａとメッセージを交換し（ステップｃ）、ＵＥ１１０ａについての位置推定値を測位手順から取得する。基地局１３０は、更にメッセージをＵＥ１１０ｂへ送って測位手順をトリガし（ステップｄ）、測位手順についてＵＥ１１０ｂとメッセージを交換し（ステップｅ）、ＵＥ１１０ｂについての位置推定値を測位手順から取得する。
【００３４】
一般的に、基地局１３０は、ホーム基地局１２０の無線有効範囲内の任意の数のＵＥについて位置推定値を取得する。基地局１３０は、次いで、例えば、ＵＥ位置推定値を平均しホーム基地局についての位置推定値を取得することによって、全てのＵＥについての位置推定値に基づいてホーム基地局１２０の位置を推定する（ステップｆ）。基地局１３０は、次いで、このホーム基地局位置推定値を含む位置レポートをホーム基地局へ送る（ステップｇ）。
【００３５】
図３Ａの設計は、ホーム基地局ホスト型スキームとして考えられうる。この設計において、ホーム基地局１２０は、利用可能なＵＥ位置推定値に基づいて自局の位置を判定する役割を担う。ホーム基地局１２０は、更にＵＥ位置推定値を収集する役割を担う。ホーム基地局１２０は、各ＵＥについて別々の位置要求を送ってもよく（図３Ａに示されるように）、ＵＥの特定の集合について単一の位置要求を送ってもよく、又はホーム基地局の無線有効範囲内の全ＵＥについて単一の位置要求を送ってもよい。
【００３６】
図３Ｂの設計は、ネットワークホスト型のスキームとして考えられうる。この設計において、基地局１３０（及び／又は他の何らかのネットワークエンティティ）は、ホーム基地局１２０の無線有効範囲内のＵＥについて位置推定値を収集し、ＵＥ位置推定値に基づいてホーム基地局の位置を判定する役割を担う。基地局１３０は、ホーム基地局から受け取られた情報及び／又はＵＥから受け取られた情報に基づいて、ホーム基地局１２０の無線有効範囲内のＵＥを特定する。一設計において、図３Ｂのステップａでホーム基地局１２０によって送られる位置要求は、ホーム基地局によって検出可能なＵＥのリストを含んでもよい。他の設計において、基地局１３０は、測定値レポート及び／又はこれらのＵＥから受け取られた他のシグナリングに基づいて、ホーム基地局１２０の無線有効範囲内のＵＥを特定する。図３Ｂの設計は、ホーム基地局１２０の実現及び動作を単純化する。具体的には、図３Ｂで示されるように、ホーム基地局１２０は、自局の位置についての単一の位置要求を基地局１３０へ送って、ホーム基地局１２０についての位置推定値を有する単一の位置レポートを基地局１３０から受け取る。
【００３７】
図３Ａ及び図３Ｂは、母集団平均を使用してホーム基地局１２０の位置を判定することを示す。ホーム基地局１２０の位置は、時間平均を使用して判定することもできる。この場合、単一の移動ＵＥの位置は異なる時間に判定されてホーム基地局１２０へ提供され（ホーム基地局ホスト型スキームの場合）、又は基地局１３０へ提供される（ネットワークホスト型スキームの場合）。次に、ホーム基地局１２０の位置は、例えば、ＵＥ位置推定値を平均することによって、この単一のＵＥについての全位置推定値に基づいて判定される。図３Ａのメッセージフロー３００及び図３Ｂのメッセージフロー３５０は、時間平均について使用されてもよい。この場合、ＵＥ１及びＵＥ２は同一のＵＥに対応し、位置要求は十分に離れた異なる時間に送られる。ホーム基地局１２０の位置は、母集団平均及び時間平均の組み合わせを使用して判定されてもよい。ホーム基地局１２０の位置は、単一のＵＥ位置推定値を用いて判定されてもよい。単一のＵＥ位置推定値は、図２Ｂで示されるように、基地局１３０によって取得され、ホーム基地局へ提供される。一般的に、ホーム基地局１２０についての位置推定値を取得するために、如何なるの数のＵＥについての如何なるの数の位置推定値が平均されてもよい。
【００３８】
母集団及び／又は時間平均については、ホーム基地局位置推定値の正確度は、ホーム基地局位置推定値を導出するために使用されるＵＥ位置推定値の分布に依存する。正確度は、ＵＥ位置推定値の分布が、一様であるほど（例えば、ＵＥ及び／又はこれらの移動の分布が、より一様であるために）改善され、平均に使用されるＵＥ位置推定値の数が大きいほど改善される。ＵＥ位置推定値は或る時間にわたって取得され、ホーム基地局位置推定値は、新しいＵＥ位置推定値が利用可能になったとき更新される。ホーム基地局１２０の有意な移動は、極めて稀であり、もしＵＥ位置推定値がホーム基地局の予期された有効範囲領域の外にあれば、直ちに検出される。
【００３９】
一般的に、ホーム基地局１２０の無線有効範囲内のＵＥは、ホーム基地局１２０の位置を判定するために使用される。ホーム基地局１２０の位置を判定するために使用されるＵＥは、ホーム基地局へ実際にアクセスする必要はない。これらのＵＥは、ホーム基地局１２０によって特定され（例えば、ＵＥから受け取られた信号に基づいて）、又はＵＥによって特定される（例えば、ホーム基地局から受け取られた信号に基づいて）。ホーム基地局１２０の位置を判定するために使用され得るＵＥの数は、ホーム基地局にアクセスできるＵＥの数よりも大きくてもよい。
【００４０】
図３Ａは、ホーム基地局１２０が、異なるＵＥについての位置要求を基地局１３０へ送って、これらのＵＥについての位置推定値を基地局１３０から取得する設計を示す。図３Ｂは、ホーム基地局１２０が自局の位置についての位置要求を基地局１３０へ送り、基地局１３０がＵＥについての位置推定値を取得してホーム基地局の位置を判定する設計を示す。他の設計において、ホーム基地局１２０は位置要求をＵＥへ直接送ってもよい。次に、これらのＵＥの位置が判定され、基地局１２０又は１３０へ送られる。更に他の設計において、基地局１３０はメッセージをＵＥへ送って測位手順をトリガし（例えば、図３Ｂで示されるように）、ＵＥは自装置の位置推定値をホーム基地局１２０へ直接送る。メッセージ及びＵＥ位置推定値は、様々なエンティティ間を他のやり方で送られてもよい。
【００４１】
ホーム基地局１２０の位置は、三辺測量を使用し、１つ又は複数のＵＥについてのＲＴＴ測定値及びＵＥの既知の位置に基づいて判定されてもよい。ホーム基地局１２０とＵＥとの間の往復時間が測定され、ＲＴＴ測定値はホーム基地局とＵＥとの間の距離へ変換される。ホーム基地局１２０の位置は、（ｉ）複数のＵＥについてのＲＴＴ測定値及びこれらのＵＥの既知の位置に基づいて判定され、又は（ｉｉ）既知の異なった位置における単一の移動ＵＥについてのＲＴＴ測定値に基づいて判定される。
【００４２】
図４Ａは、ＲＴＴ測定値を用いる三辺測量に基づいてホーム基地局１２０の位置を判定するメッセージフロー４００の設計を示す。ホーム基地局１２０は、位置要求を基地局１３０へ送ってＵＥ１１０ａの位置を要求する（ステップａ）。次いで、基地局１３０は、メッセージをＵＥ１１０ａへ送って測位手順をトリガし（ステップｂ）、測位手順のためにＵＥ１１０ａとメッセージを交換し（ステップｃ）、ＵＥ１１０ａについての位置推定値を測位手順から取得し、この位置推定値を含む位置レポートをホーム基地局１２０へ送る（ステップｄ）。ホーム基地局１２０もＵＥ１１０ａとシグナリングを交換し、ＵＥ１１０ａについてのＲＴＴ測定値を取得する（ステップｅ）。ホーム基地局１２０は同様に基地局１３０とメッセージを交換してＵＥ１１０ｂについての位置推定値を取得し（ステップｆ及びｉ）、ＵＥ１１０ｂとシグナリングを交換してＵＥ１１０ｂについてのＲＴＴ測定値を取得する（ステップｊ）。ホーム基地局１２０は、更に基地局１３０とメッセージを交換してＵＥ１１０ｃについての位置推定値を取得し（ステップｋ及びｎ）、ＵＥ１１０ｃとシグナリングを交換してＵＥ１１０ｃについてのＲＴＴ測定値を取得する（ステップｏ）。
【００４３】
ホーム基地局１２０は、３つのＵＥ１１０ａ、１１０ｂ、及び１１０ｃについての３つのＲＴＴ測定値を取得し、これらのＵＥについての位置推定値も取得する。次に、ホーム基地局１２０は、三辺測量を使用し、ＲＴＴ測定値及びＵＥ位置推定値に基づいて自分の位置を判定する（ステップｐ）。
【００４４】
図４Ｂは、ＲＴＴ測定値を用いる三辺測量に基づき基地局１３０によってホーム基地局１２０の位置を判定するメッセージフロー４５０の設計を示す。ホーム基地局１２０は、自局の位置についての位置要求を基地局１３０へ送る（ステップａ）。次いで、基地局１３０は、メッセージをＵＥ１１０ａへ送って測位手順をトリガし（ステップｂ）、測位手順のためにＵＥ１１０ａとメッセージを交換し（ステップｃ）、ＵＥ１１０ａについての位置推定値を測位手順から取得する。基地局１３０はＲＴＴ要求をホーム基地局１２０へ送ってＵＥ１１０ａについてのＲＴＴ測定値を要求する（ステップｄ）。ホーム基地局１２０は、ＵＥ１１０ａとシグナリングを交換してＵＥ１１０ａについてのＲＴＴ測定値を取得し（ステップｅ）、ＲＴＴ測定値を含むＲＴＴレポートを基地局１３０へ送る（ステップｆ）。基地局１３０は、同様にＵＥ１１０ｂとメッセージを交換してＵＥ１１０ｂについての位置推定値を取得し（ステップｇ及びｈ）、ホーム基地局１２０とメッセージを交換してＵＥ１１０ｂについてのＲＴＴ測定値を取得する（ステップｉ及びｋ）。基地局１３０は、ＵＥ１１０ｃともメッセージを交換してＵＥ１１０ｃについての位置推定値を取得し（ステップｌ及びｍ）、ホーム基地局１２０とメッセージを交換してＵＥ１１０ｃについてのＲＴＴ測定値を取得する（ステップｎ及びｐ）。
【００４５】
基地局１３０は、３つのＵＥ１１０ａ、１１０ｂ、及び１１０ｃについての３つのＲＴＴ測定値を取得し、これらのＵＥについての位置推定値も取得する。次に、基地局１３０は、三辺測量を使用して、ＲＴＴ測定値及びＵＥ位置推定値に基づきホーム基地局１２０の位置を判定する（ステップｑ）。基地局１３０は、次いでホーム基地局についての位置推定値を含む位置レポートをホーム基地局へ送る（ステップｒ）。
【００４６】
図４Ａ及び図４Ｂは、３つのＵＥ１１０ａ、１１０ｂ、及び１１０ｃについての３つのＲＴＴ測定値を使用する三辺測量を示す。三辺測量は、異なる位置における単一の移動ＵＥについてのＲＴＴ測定値に基づいて行ってもよい。一般的に、三辺測量は、１つ又は複数のＵＥについての３つ以上のＲＴＴ測定値に基づいて実行される。各ＲＴＴ測定値は、ＵＥ位置に関連づけられる。ＵＥ位置は、ＲＴＴ測定の前に判定されてもよく（図４Ａ及び図４Ｂで示されるように）、ＲＴＴ測定の後、又はＲＴＴ測定と同時に判定されてもよい。ＲＴＴ測定及び関連づけられたＵＥ位置は、できるだけ接近した時間に取得されるべきである。
【００４７】
三辺測量は、３つ以上のＲＴＴ測定値及び関連づけられたＵＥ位置推定値に基づいて実行される。時間の経過と共に取得されたＲＴＴ測定値が多くなり、及び／又はより多くのＵＥＲＴＴ測定値が取得されると、ＲＴＴ測定値が平均され、ホーム基地局１２０について取得される位置推定値は正確になる。ホーム基地局がＲＴＴ測定値の間で移動した場合、時間にわたって平均すると、ホーム基地局１２０についての位置推定値が、検出できない誤差を生じやすい結果となる。検出できない誤差の尤度を低減するため、ホーム基地局１２０の位置を判定するために使用されるＲＴＴ測定値は、相互に適度に接近した時間に取得されるべきである。
【００４８】
図４Ａは、ホーム基地局１２０が、異なるＵＥのための位置要求を基地局１３０へ送って、これらのＵＥについての位置推定値を基地局１３０から取得する設計を示す。図４Ｂは、ホーム基地局１２０が、自局の位置についての位置要求を基地局１３０へ送って、異なるＵＥについてのＲＴＴ要求を基地局１３０から受け取る設計を示す。
【００４９】
他の設計において、基地局１３０はＲＴＴ要求をＵＥへ直接送って（図４Ｂで示されるようにホーム基地局１２０ではなく）、ＲＴＴ測定値をＵＥから直接受け取ってもよい。
【００５０】
この設計は、ホーム基地局１２０へのアクセスを許可されていないＵＥが、ホーム基地局についての位置推定値に寄与することを可能にする。これらのＵＥは、ホーム基地局からサービスを実際に取得することなく、ホーム基地局１２０への往復時間を測定する。例えば、ＵＥは下位レイヤ（例えば、物理レイヤ）シグナリングをホーム基地局１２０へ送り、ホーム基地局１２０は下位レイヤ応答を返す。次に、ＵＥは、ホーム基地局１２０からのサービス又は上位レイヤ応答を呼び出すことなく、下位レイヤシグナリング及び下位レイヤ応答に基づいてＲＴＴ測定値を取得する。この設計は、ＲＴＴ要求が基地局１３０からＵＥへ直接送られ、ＲＴＴ測定値がＵＥから基地局１３０へ直接送られるため、ホーム基地局１２０の複雑度を低減する。
【００５１】
他の設計において、ホーム基地局１２０は、図４Ｂのステップａで基地局１３０へ送られる位置要求の中で特定のＵＥについてのＲＴＴ測定値のリストを提供する。次に、基地局１３０は、リスト内で特定されたＵＥの位置を判定する。このリストは、基地局１３０がＲＴＴ要求をホーム基地局１２０又はＵＥへ送ってＲＴＴレポートをホーム基地局１２０又はＵＥから受け取る必要性を回避する。メッセージ及びＲＴＴ測定値は、様々なエンティティ間を他のやり方で送られてもよい。
【００５２】
全ての設計について、三辺測量によって計算されたホーム基地局位置推定値の正確度は、ＵＥ位置がどの程度密接にＲＴＴ測定値と「一致（match）」するかに依存する。ホーム基地局位置推定値の改善正確度は、（ｉ）ＲＴＴ測定値とできるだけ時間的に近いＵＥ位置を判定する、（ｉｉ）固定型又は低移動性であるＵＥについてのＲＴＴ測定値を使用する、及び／又は（ｉｉｉ）ＵＥ速度を逆伝搬することによって移動ＵＥについてのＲＴＴ測定値を補償しＲＴＴ測定時間におけるＵＥ位置を推定する、ことによって取得される。
【００５３】
これまで説明された設計において、ホーム基地局１２０の位置は、ホーム基地局又は他の何らかのエンティティによって要求されたときに判定されてもよい。セルラネットワークはＵＥ位置の判定を支援し、ＵＥ位置はホーム基地局１２０の位置を判定するために使用される。
【００５４】
他の設計において、セルラネットワークは、ＵＥからの測定値レポートに基づいてホーム基地局位置のデータベースを自律的に保持してもよい。セルラネットワークの有効範囲領域内のＵＥは、ＵＥがホーム基地局１２０の無線有効範囲内にあることをレポートする。セルラネットワークは、セルラネットワーク及びＵＥによってサポートされる任意の測位方法を使用して、この時間におけるＵＥ位置を判定する。セルラネットワークは、例えば、これまで説明された測位方法を使用し、ＵＥについての位置推定値を使用してホーム基地局１２０の位置を判定する。セルラネットワークは、時間及び／又は母集団で平均するためにＵＥについての位置推定値を記憶する。ホーム基地局１２０が後で自局の位置を要求した場合、セルラネットワークはホーム基地局１２０についての位置推定値を既に有し、単にこの位置推定値をホーム基地局へ渡せばよい。
【００５５】
図５は、セルラネットワークによってホーム基地局１２０の位置を自律的に予備計算するメッセージフロー５００の設計を示す。基地局１３０は、例えば、セルラネットワーク内の通常動作の一部として測定値レポートをＵＥ１１０ａから受け取る（ステップａ）。
【００５６】
次に、基地局１３０は、メッセージをＵＥ１１０ａへ送って測位手順をトリガし（ステップｂ）、測位手順のためにＵＥ１１０ａとメッセージを交換し（ステップｃ）、ＵＥ１１０ａについての位置推定値を取得する。同様に、基地局１３０は測定値レポートをＵＥ１１０ｂから受け取る（ステップｄ）。次に、基地局１３０は、メッセージをＵＥ１１０ｂへ送って測位手順をトリガし（ステップｅ）、測位手順のためにＵＥ１１０ｂとメッセージを交換し（ステップｆ）、ＵＥ１１０ｂについての位置推定値を取得する。基地局１３０は、ＵＥ１１０ａ及び１１０ｂについての位置推定値に基づいて、ホーム基地局１２０についての位置推定値を導出する（ステップｇ）。基地局１３０は、より多くのＵＥ位置推定値が利用可能になると、ホーム基地局１２０についての位置推定値を更新する。
【００５７】
その後、ホーム基地局１２０は位置要求を基地局１３０へ送ってホーム基地局の位置を要求する（ステップｈ）。基地局１３０は、ホーム基地局についての位置推定値を含む位置レポートをホーム基地局へ送る（ステップｉ）。
【００５８】
図５で示される設計において、ホーム基地局１２０の位置は、利用可能なＵＥ位置推定値を平均することによって推定される。他の設計において、セルラネットワークは、ホーム基地局１２０から、又はホーム基地局の無線有効範囲内のＵＥから、ＲＴＴ測定値を要求する。次に、ホーム基地局１２０の位置が、三辺測量を使用しＲＴＴ測定値に基づいて判定される。ＲＴＴ測定値は、ホーム基地局１２０による関与なしにＵＥから取得される。あるいは、ホーム基地局１２０はＲＴＴ測定値の入手を支援し、ＲＴＴサーバとして行動する。
【００５９】
セルラネットワークはホーム基地局位置のデータベースを保持してもよい。ホーム基地局の位置は、一意の識別子によって特定されるか鍵を与えられてもよい。識別子は、ＰＬＭＮと、ホーム基地局によってシグナリングされたセルアイデンティティ（ＩＤ）又は他のＩＤ又はＩＤの組み合わせとの組み合わせによって定義される。データベース内のホーム基地局位置は、時間の経過と共により多くのより多くのＵＥ位置が利用可能になるため、精確化される。ホーム基地局１２０の移動は、ほとんど即時に検出される。これは、ホーム基地局１２０に関連づけられた全てのＵＥが、予期される位置と非常に異なる位置を突然レポートするからである。セルラネットワークは、ホーム基地局１２０の実質的な移動が検出されたとき、様々な方法で応答する。セルラネットワークは、ホーム基地局１２０についてのデータベースエントリを「おそらく移動した」としてフラグし、ホーム基地局１２０の位置の判定を新しく開始する（例えば、平均プロセスを再度開始する）。セルラネットワークは、これまで説明されたメッセージフローの１つを使用して、ホーム基地局１２０についての位置更新を開始してもよい。セルラネットワークは、どのホーム基地局が移動する傾向を有するかを示す揮発性情報を保持してもよい。実際には、多くのホーム基地局の大部分が固定型であり、データベース内のホーム基地局位置は、ほとんどの時間に有効である。ホーム基地局の位置が或るエンティティ（例えば、ホーム基地局１２０又は外部クライアント）によって要求されたとき、セルラネットワークは、一般的に、要求しているエンティティへ即時に引き渡すことのできる位置推定値を有することができる。
【００６０】
上述の設計において、ホーム基地局１２０の位置は、１つ又は複数のＵＥの位置に基づいて判定される。これらのＵＥ位置は、ＵＥ測位をサポートするセルラネットワーク内の基地局／マクロセルとのＵＥ相互作用に基づいて判定される。ＵＥは単独測位能力（例えば、ＧＰＳ受信機）を有し、セルラネットワークとの相互作用なしに、自装置の位置を自律的に判定することができる。ＵＥは、要求されたとき、自分の位置を基地局１２０及び／又は１３０へレポートする。
【００６１】
一般的に、ホーム基地局１２０の位置は、任意の測位方法を使用して推定されたＵＥ位置に基づいて判定される。平均を実行するとき、より正確な測位方法（例えば、ＧＰＳ又はＡ−ＧＰＳ）を用いて取得されたＵＥ位置、及び／又は、より近時に取得されたＵＥ位置に対して、より多くの重みが与えられる。
【００６２】
図６は、ネットワークエンティティの位置を判定するために、このネットワークエンティティによって実行されるプロセス６００の設計を示す。プロセス６００は、図３Ａ及び図４Ａで示されるようなメッセージフローのためにホーム基地局１２０によって実行される。第１の基地局（例えば、ホーム基地局１２０）は、少なくとも１つのＵＥについての少なくとも１つの位置要求を第２の基地局（例えば、基地局１３０）へ送る（ブロック６１２）。第１及び第２の基地局はダイレクト・ネットワークインタフェース（例えば、Ｘ２インタフェース）上で通信し、又は中間ノードを介して（例えば、中継器としてのＭＭＥ／ＳＡＥゲートウェイとのＳ１インタフェースを使用して）間接的に通信する。少なくとも１つのＵＥは、第１及び第２の基地局の双方の無線有効範囲内にある。第１の基地局は、（例えば、図３Ａ及び図４Ａで示されるような）各位置要求内で１つ又は複数のＵＥを特定し、又は少なくとも１つのＵＥのリストを第２の基地局へ送る。第１の基地局は、少なくとも１つのＵＥについての位置情報を第２の基地局から受け取る（ブロック６１４）。次に、第１の基地局は、少なくとも１つのＵＥについての位置情報に基づき自局についての位置推定値を判定する（ブロック６１６）。
【００６３】
ブロック６１６の一設計において、第１の基地局は、少なくとも１つのＵＥについての複数の位置推定値を位置情報から取得する。次に、第１の基地局は、少なくとも１つのＵＥについての複数の位置推定値を平均し、例えば、図３Ａで示されるように、自局ついての位置推定値を取得する。ブロック６１６の他の設計において、第１の基地局は、少なくとも１つのＵＥについての複数のＲＴＴ測定値を取得し、少なくとも１つのＵＥについての複数の位置推定値を位置情報から更に取得する。次に、第１の基地局は、例えば、図４Ａで示されるように、少なくとも１つのＵＥについての複数のＲＴＴ測定値及び複数の位置推定値に基づいて、自局についての位置推定値を判定する。他の型のタイミング測定値を（ＲＴＴ測定値の代わりに）、三辺測量で使用してもよい。
【００６４】
一設計において、第１の基地局は複数のＵＥについての複数の位置推定値を位置情報から取得する。他の設計において、第１の基地局は、単一のＵＥについて異なる時間に取得された複数の位置推定値を位置情報から取得する。双方の設計において、第１の基地局は、単一又は複数のＵＥについての複数の位置推定値に基づいて、自局の位置推定値を判定する。
【００６５】
第１の基地局は、フェムトセルのために無線有効範囲を提供するホーム基地局であってもよい。第２の基地局は、フェムトセルを包含するマクロセルのために無線有効範囲を提供してもよい。第２の基地局は、フェムトセルとオーバラップするセルのために無線有効範囲を提供する他のホーム基地局又は基地局であってもよい。少なくとも１つのＵＥの各々は、第１の基地局へのアクセスを有しても有さなくてもよいが、第１の基地局についての位置推定値を判定するために使用される。
【００６６】
図７は、他のネットワークエンティティによる測位をサポートするために、或るネットワークエンティティによって実行されるプロセス７００の設計を示す。プロセス７００は、図３Ａ及び図４Ａで示されるようなメッセージフローのために、基地局１３０によって実行される。第２の基地局（例えば、基地局１３０）は、少なくとも１つのＵＥについての少なくとも１つの位置要求を第１の基地局（例えば、ホーム基地局１２０）から受け取る（ブロック７１２）。少なくとも１つのＵＥは、第１及び第２の基地局の双方の無線有効範囲内にある。第２の基地局は、少なくとも１つの位置要求に応答して、該少なくとも１つのＵＥについての位置情報を取得する（ブロック７１４）。第２の基地局は、少なくとも１つのＵＥについての位置情報を第１の基地局へ送る（ブロック７１６）。位置情報は、第１の基地局についての位置推定値を判定するために使用される。
【００６７】
図８は、他のネットワークエンティティから自装置の位置推定値を取得するため或る１つのネットワークエンティティによって実行されるプロセス８００の設計を示す。プロセス８００は、図３Ｂ及び図４Ｂで示されるようなメッセージフローのためにホーム基地局１２０によって実行される。第１の基地局（例えば、ホーム基地局１２０）は、自局の位置についての要求を第２の基地局（例えば、基地局１３０）へ送る（ブロック８１２）。
【００６８】
第１の基地局は、自局についての位置推定値を第２の基地局から受け取る（ブロック８１４）。位置推定値は、第１及び第２の基地局の双方の無線有効範囲内の少なくとも１つのＵＥについて取得された位置情報に基づいて判定される。
【００６９】
図９は、他のネットワークエンティティの位置を判定するために、或るネットワークエンティティによって実行されるプロセス９００の設計を示す。プロセス９００は、例えば、図３Ｂ及び図４Ｂで示されるようなメッセージフローのために基地局１３０によって実行される。第２の基地局（例えば、基地局１３０）は、第１の基地局についての位置要求を受け取る（ブロック９１２）。第２の基地局は、第１及び第２の基地局の双方の無線有効範囲内の少なくとも１つのＵＥについての位置要求を取得する（ブロック９１４）。第２の基地局は、少なくとも１つのＵＥのリストを第１の基地局から受け取るか、少なくとも１つのＵＥから受け取られた測定値レポートに基づいて少なくとも１つのＵＥを特定する。第２の基地局は、少なくとも１つのＵＥについての位置情報に基づいて、第１の基地局についての位置情報を判定する（ブロック９１６）。次に、第２の基地局は、位置推定値を第１の基地局へ送る（ブロック９１８）。
【００７０】
一設計において、第２の基地局は、少なくとも１つのＵＥについての複数の位置推定値を位置情報から取得する。次に、第２の基地局は、少なくとも１つのＵＥについての複数の位置推定値を平均し、例えば、図３Ｂで示されるように、第１の基地局についての位置推定値を取得する。他の設計において、第２の基地局は、少なくとも１つのＵＥについての複数のＲＴＴ測定値を取得する。第２の基地局は、少なくとも１つのＲＴＴ要求を第１の基地局へ送って、例えば、図４Ｂで示されるように、少なくとも１つのＵＥについての複数のＲＴＴ測定値を第１の基地局から受け取る。あるいは、第２の基地局は、複数のＲＴＴ測定値を少なくとも１つのＵＥから直接受け取る。第２の基地局は、少なくとも１つのＵＥについての複数の位置推定値を位置情報から取得してもよい。次に、第２の基地局は、例えば、図４Ｂで示されるように、少なくとも１つのＵＥについての複数のＲＴＴ測定値及び複数の位置推定値に基づいて、第１の基地局についての位置推定値を判定する。
【００７１】
一設計において、第２の基地局は、複数のＵＥについての複数の位置推定値を位置情報から取得する。他の設計において、第２の基地局は、単一のＵＥについて異なる時間に取得された複数の位置推定値を位置情報から取得する。双方の設計について、第２の基地局は、単一又は複数のＵＥについての複数の位置推定値に基づいて、第１の基地局についての位置推定値を判定する。
【００７２】
図１０は、測位を用いるネットワークエンティティを支援するプロセス１０００の設計を示す。プロセス１０００は、例えば、図２Ａ〜図４Ｂで示されるようなメッセージフローのためにＵＥによって実行される。ＵＥは、第１及び第２の基地局の双方の無線有効範囲内にあり、例えば、第１又は第２の基地局から、自装置の位置についての位置要求を受け取る（ブロック１０１２）。ＵＥは様々なやり方で測位のために選択される。一設計において、ＵＥは第１の基地局を検出し、第１の基地局を特定する測定値レポートを第２の基地局へ送る。他の設計において、第１の基地局はＵＥを検出し、ＵＥを第２の基地局に対して特定する。
【００７３】
ＵＥは、第２の基地局を用いて測位を実行し、自装置についての位置推定値を取得する（ブロック１０１４）。ＵＥの位置推定値は、第１の基地局についての位置推定値を判定するために使用される。ＵＥは自装置の位置推定値を第１又は第２の基地局へ送り、又は位置推定値は測位から第１又は第２の基地局で利用可能である。ＵＥは第１の基地局とシグナリングを交換し、ＲＴＴ測定値を取得してもよい。次に、第１の基地局についての位置推定値が、更にＲＴＴ測定値に基づいて判定される。
【００７４】
その後、ＵＥは、自装置の位置についての第２の要求を受け取り、第２の基地局を用いて測位を実行し、自装置についての第２の位置推定値を取得する。ＵＥについての第２の位置推定値は、第１の基地局についての位置推定値を判定するために使用される。
【００７５】
図１１は、図１のＵＥ１１０、第１の（例えば、ホーム）基地局１２０、第２の基地局１３０、及びＭＭＥ／ＳＡＥゲートウェイ１４０の設計のブロック図を示す。アップリンクでは、ＵＥ１１０の符号器１１１２はアップリンク上で送られるトラフィックデータ及びシグナリングを受け取り、トラフィックデータ及びシグナリングを処理する（例えば、フォーマット、符号化、及びインタリーブする）。変調器（Ｍｏｄ）１１１４は、符号化されたトラフィックデータ及びシグナリングを更に処理し（例えば、変調、チャネル化、スクランブルし）、出力サンプルを提供する。送信機（ＴＭＴＲ）１１２２は、出力サンプルを調整し（例えば、アナログ変換、フィルタ、増幅、及び周波数アップコンバートし）、アップリンク信号を生成する。アップリンク信号は基地局１２０及び／又は１３０へ送信される。
【００７６】
ダウンリンクでは、ＵＥ１１０は基地局１２０及び／又は１３０によって送信されたダウンリンク信号を受信する。受信機（ＲＣＶＲ）１１２６は、受信した信号を調整し（例えば、フィルタ、増幅、周波数ダウンコンバート、及びデジタル化し）、入力サンプルを提供する。復調器（Ｄｅｍｏｄ）１１１６は、入力サンプルを処理し（例えば、デスクランブル、チャネル化、及び復調し）、シンボル推定値を提供する。復号器１１１８は、シンボル推定値を処理し（例えば、デインタリーブ及び復号し）、ＵＥ１１０へ送られた復号データ及びシグナリングを提供する。符号器１１１２、変調器１１１４、復調器１１１６、及び復号器１１１８は、モデムプロセッサ１１１０によって実現される。これらのユニットは、セルラネットワークによって使用される無線テクノロジ（例えば、ＬＴＥ）に従って処理を実行する。コントローラ／プロセッサ１１３０は、ＵＥ１１０内の様々なユニットの動作を指示する。コントローラ／プロセッサ１１３０は、図１０のプロセス１０００及び／又は本明細書で説明された手法のための他のプロセスを更に実行及び指示する。メモリ１１３２はＵＥ１１０のためのプログラムコード及びデータを格納する。
【００７７】
基地局１２０において、送信機／受信機１１３８は、ＵＥ１１０及び他のＵＥとの無線通信をサポートする。コントローラ／プロセッサ１１４０は、ＵＥと通信するための様々な機能を実行する。アップリンクでは、ＵＥ１１０からのアップリンク信号が受信機１１３８によって受信及び調整され、コントローラ／プロセッサ１１４０によって更に処理され、ＵＥによって送られるトラフィックデータ及びシグナリングを回復する。ダウンリンクでは、トラフィックデータ及びシグナリングがコントローラ／プロセッサ１１４０によって処理され、送信機１１３８によって調整され、ダウンリンク信号を生成する。ダウンリンク信号はＵＥ１１０及び他のＵＥへ送信される。コントローラ／プロセッサ１１４０は、図６のプロセス６００、図８のプロセス８００、及び／又は本明細書で説明される手法のための他のプロセスを更に実行、指示、又は参加する。メモリ１１４２は、基地局１２０のためのプログラムコード及びデータを格納する。通信（Ｃｏｍｍ）ユニット１１４４は、ＭＭＥ／ＳＡＥゲートウェイ１４０及び／又は他のネットワークエンティティとの通信をサポートする。
【００７８】
基地局１３０において、送信機／受信機１１４８はＵＥ１１０及び他のＵＥとの無線通信をサポートする。コントローラ／プロセッサ１１５０はＵＥと通信するための様々な機能を実行する。コントローラ／プロセッサ１１５０は、図７のプロセス７００、図９のプロセス９００、及び／又は本明細書で説明される手法のための他のプロセスで実行、指揮、又は参加する。メモリ１１５２は基地局１３０のためのプログラムコード及びデータを格納する。通信ユニット１１５４はＭＭＥ／ＳＡＥゲートウェイ１４０及び／又は他のネットワークエンティティとの通信をサポートする。
【００７９】
ＭＭＥ／ＳＡＥゲートウェイ１４０において、コントローラ／プロセッサ１１６０はＵＥのための通信サービスをサポートする様々な機能を実行する。メモリ１１６２はＭＭＥ／ＳＡＥゲートウェイ１４０のためのプログラムコード及びデータを格納する。通信ユニット１１６４は基地局及び他のネットワークエンティティとの通信をサポートする。
【００８０】
当業者は、情報及び信号が多様な技術及び手法を使用して表現されることを理解するであろう。例えば、これまでの説明を通して参照されたデータ、命令、コマンド、情報、信号、ビット、シンボル、及びチップは、電圧、電流、電磁波、磁場又は磁性粒子、光場又は光粒子、又はこれらの組み合わせによって表現され得る。
【００８１】
当業者は、本明細書の開示に関連して説明された様々な例示的な論理ブロック、モジュール、回路、及びアルゴリズムステップが、電子ハードウェア、コンピュータソフトウェア、又はこれらの組み合わせとして実現され得ることを更に了解するであろう。ハードウェア及びソフトウェアのこの互換性を明瞭に示すため、様々な例示的なコンポーネント、ブロック、モジュール、回路、及びステップは、一般的にこれらの機能性の見地から説明された。そのような機能性がハードウェアとして実現されるか、ソフトウェアとして実現されるかは、具体的な用途及びシステム全体に課される設計制約に依存する。当業者は、各々の具体的用途のために、説明された機能性を様々な方途で実現することができるが、そのような実現の判断は、本開示の範囲からの逸脱を引き起こすと解釈されてはならない。
【００８２】
本明細書の開示と関連して説明された様々な例示的な論理ブロック、モジュール、及び回路は、汎用プロセッサ、デジタル信号プロセッサ（ＤＳＰ）、特定用途向け集積回路（ＡＳＩＣ）、フィールドプログラマブル・ゲートアレイ（ＦＰＧＡ）、又は他のプログラム可能論理デバイス、離散的ゲート又はトランジスタ論理、離散的ハードウェアコンポーネント、又は本明細書で説明される機能を実行するように設計されたこれらの組み合わせを用いて実現又は実行される。汎用プロセッサはマイクロプロセッサであってもよいが、代替としてプロセッサは従来のプロセッサ、コントローラ、マイクロコントローラ、又は状態機械であってもよい。プロセッサは、コンピューティングデバイスの組み合わせ、例えば、ＤＳＰとマイクロプロセッサとの組み合わせ、複数のマイクロプロセッサ、ＤＳＰコアと結合した１つ又は複数のマイクロプロセッサ、又は他のそのような構成として実現されてもよい。
【００８３】
本明細書の開示と関連して説明された方法又はアルゴリズムのステップは、ハードウェアで直接具現化されるか、プロセッサによって実行されるソフトウェアモジュールで具現化されるか、これら２つの組み合わせで具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、又は当技術分野で知られている記憶媒体の他の形態内に存在してもよい。例示的な記憶媒体はプロセッサへ結合され、プロセッサは記憶媒体から情報を読み取り、記憶媒体へ情報を書き込むことができる。代替として、記憶媒体はプロセッサと一体化される。プロセッサ及び記憶媒体はＡＳＩＣ内に存在してもよい。ＡＳＩＣは、ユーザ端末内に存在してもよい。代替として、プロセッサ及び記憶媒体はユーザ端末内で離散的コンポーネントとして存在する。
【００８４】
１つ又は複数の例示的設計において、説明された機能は、ハードウェア、ソフトウェア、ファームウェア、又はこれらの組み合わせで実現される。ソフトウェアで実現される場合、機能はコンピュータ読み取り可能媒体上の１つ又は複数の命令又はコードとして格納されるか伝送される。コンピュータ読み取り可能媒体は、コンピュータ記憶媒体及び通信媒体の双方を含む。通信媒体は、１つの場所から他の場所へのコンピュータプログラムの転送を容易にする任意の媒体を含む。記憶媒体は、汎用又は特殊用途コンピュータによってアクセスされ得る任意の利用可能な媒体である。限定ではなく例として、そのようなコンピュータ読み取り可能媒体は、ＲＡＭ、ＲＯＭ、ＥＥＰＲＯＭ、ＣＤ−ＲＯＭ、又は他の光ディスク記憶装置、磁気ディスク記憶装置、又は他の磁気記憶デバイス、又は任意の他の媒体を備える。前記任意の他の媒体は、命令又はデータ構造の形式で所望のプログラムコード手段を搬送又は格納するために使用され、汎用又は特殊目的コンピュータ、又は汎用又は特殊用途プロセッサによってアクセスされる。更に、接続は、適宜コンピュータ読み取り可能媒体と呼ばれる。例えば、同軸ケーブル、光ファイバケーブル、ツイストペア、デジタル加入者線（ＤＳＬ）、又は無線テクノロジ、例えば、赤外線、無線、及びマイクロ波を使用して、ソフトウェアがウェブサイト、サーバ、又は他の遠隔のソースから伝送される場合、同軸ケーブル、光ファイバケーブル、対撚り線、ＤＳＬ、又は無線テクノロジ、例えば、赤外線、無線、及びマイクロ波は媒体の定義の中に含まれる。本明細書で使用されるときのｄｉｓｋ及びｄｉｓｃは、コンパクトディスク（ＣＤ）、レーザディスク、光ディスク、デジタル多用途ディスク（ＤＶＤ）、フロッピー（登録商標）ディスク、及びブルーレイディスクを含む。ここでｄｉｓｋは、通常、データを磁気的に再生し、ｄｉｓｃはレーザを用いてデータを光学的に再生する。上記の組み合わせもコンピュータ読み取り可能媒体の範囲に含められるべきである。
【００８５】
本開示のこれまでの説明は、当業者が本開示を作製又は使用することを可能にするように提供される。本開示への様々な修正は、当業者にとって容易に明らかであろう。本明細書で定義される一般的原理は、本開示の範囲から逸脱することなく他の変形へ応用される。故に、本開示は、本明細書で説明された例及び設計への限定を意図されず、本明細書で開示される原理及び新規な特徴と矛盾しない最も広い範囲を与えられるべきである。
【図１】
2014225899.tif 000003
【図２Ａ】
2014225899.tif 000004
【図２Ｂ】
2014225899.tif 000005
【図３Ａ】
2014225899.tif 000006
【図３Ｂ】
2014225899.tif 000007
【図４Ａ】
2014225899.tif 000008
【図４Ｂ】
2014225899.tif 000009
【図５】
2014225899.tif 000010
【図６】
2014225899.tif 000011
【図７】
2014225899.tif 000012
【図８】
2014225899.tif 000013
【図９】
2014225899.tif 000014
【図１０】
2014225899.tif 000015
【図１１】
2014225899.tif 000016
【手続補正書】
【提出日】平成26年8月7日(2014.8.7)
【手続補正１】
【補正対象書類名】特許請求の範囲
【補正対象項目名】全文
【補正方法】変更
【補正の内容】
【特許請求の範囲】
【請求項１】
セルラ通信ネットワークにおいて測位を実行する方法であって、
少なくとも１つのユーザ機器（ＵＥ）についての少なくとも１つの位置要求を第１の基地局から第２の基地局へ送ることと、ここにおいて、前記少なくとも１つのＵＥは前記第１および第２の基地局の双方の無線有効範囲内にあり、前記第１の基地局は、特定のグループのＵＥに制限されたアクセスを提供し、前記第１の基地局は、フェムトセルのために無線有効範囲を提供するホーム基地局を備え、前記第２の基地局は、前記フェムトセルを含むマクロセルのために無線有効範囲を提供する、
前記少なくとも１つのＵＥについての位置情報を前記第２の基地局から受信することと、
前記少なくとも１つのＵＥについての前記位置情報に基づいて前記第１の基地局についての位置推定値を判定することと、
を備え、
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと、
を備える方法。
【手続補正２】
【補正対象書類名】明細書
【補正対象項目名】００８５
【補正方法】変更
【補正の内容】
【００８５】
本開示のこれまでの説明は、当業者が本開示を作製又は使用することを可能にするように提供される。本開示への様々な修正は、当業者にとって容易に明らかであろう。本明細書で定義される一般的原理は、本開示の範囲から逸脱することなく他の変形へ応用される。故に、本開示は、本明細書で説明された例及び設計への限定を意図されず、本明細書で開示される原理及び新規な特徴と矛盾しない最も広い範囲を与えられるべきである。
以下に、出願当初の特許請求の範囲に記載された発明を付記する。
［Ｃ１］
セルラ通信ネットワークにおいて測位を実行する方法であって、
少なくとも１つのユーザ機器（ＵＥ）についての少なくとも１つの位置要求を第１の基地局から第２の基地局へ送ることであって、前記少なくとも１つのＵＥは、前記第１及び第２の基地局の双方の無線有効範囲内にあることと、
前記少なくとも１つのＵＥについての位置情報を前記第２の基地局から受け取ることと、
前記少なくとも１つのＵＥについての前記位置情報に基づいて前記第１の基地局についての位置推定値を判定することと
を備える方法。
［Ｃ２］
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと
を備える、Ｃ１に記載の方法。
［Ｃ３］
前記第１の基地局についての前記位置推定値を判定することは、
前記少なくとも１つのＵＥについての複数の往復時間（ＲＴＴ）測定値を取得することと、
前記少なくとも１つのＵＥについての複数の位置推定値を前記位置情報から取得することと、
前記複数のＲＴＴ測定値及び前記少なくとも１つのＵＥについての前記複数の位置推定値に基づき前記第１の基地局についての前記位置推定値を判定することと
を備える、Ｃ１に記載の方法。
［Ｃ４］
前記少なくとも１つのＵＥは複数のＵＥを備え、前記位置情報は前記複数のＵＥについての複数の位置推定値を備え、前記第１の基地局についての前記位置推定値は、前記複数のＵＥについての前記複数の位置推定値に基づき判定される、Ｃ１に記載の方法。
［Ｃ５］
前記少なくとも１つのＵＥは単一のＵＥを備え、前記位置情報は、前記単一のＵＥについて異なる時間に取得された複数の位置推定値を備え、前記第１の基地局についての前記位置推定値は、前記単一のＵＥについての前記複数の位置推定値に基づき判定される、Ｃ１に記載の方法。
［Ｃ６］
前記第１の基地局は、フェムトセルのために無線有効範囲を提供するホーム基地局を備え、前記第２の基地局は前記フェムトセルを包含するマクロセルのために無線有効範囲を提供する、Ｃ１に記載の方法。
［Ｃ７］
前記少なくとも１つのＵＥは、前記第１の基地局へのアクセスを許可されていないＵＥを備える、Ｃ１に記載の方法。
［Ｃ８］
無線通信装置であって、
少なくとも１つのプロセッサを備え、前記プロセッサは、少なくとも１つのユーザ機器（ＵＥ）についての少なくとも１つの位置要求を第１の基地局から第２の基地局へ送るように構成され、前記少なくとも１つのＵＥは前記第１及び第２の基地局の双方の無線有効範囲内にあり、前記プロセッサは、前記少なくとも１つのＵＥについての位置情報を前記第２の基地局から受け取り、前記少なくとも１つのＵＥについての前記位置情報に基づき前記第１の基地局についての位置推定値を判定するように構成される、装置。
［Ｃ９］
前記少なくとも１つのプロセッサは、前記少なくとも１つのＵＥについての複数の位置推定値を前記位置情報から取得し、前記少なくとも１つのＵＥについての前記複数の位置推定値を平均し、前記第１の基地局についての前記位置推定値を取得するように構成される、Ｃ８に記載の装置。
［Ｃ１０］
前記少なくとも１つのプロセッサは、前記少なくとも１つのＵＥについての複数の往復時間（ＲＴＴ）測定値を取得し、前記少なくとも１つのＵＥについての複数の位置推定値を前記位置情報から取得し、前記少なくとも１つのＵＥについての前記複数のＲＴＴ測定値及び前記複数の位置推定値に基づき前記第１の基地局についての前記位置推定値を判定するように構成される、Ｃ８に記載の装置。
［Ｃ１１］
セルラ通信ネットワークにおいて測位を実行する装置であって、
少なくとも１つのユーザ機器（ＵＥ）についての少なくとも１つの位置要求を第１の基地局から第２の基地局へ送る手段であって、前記少なくとも１つのＵＥは前記第１及び第２の基地局の双方の無線有効範囲内にある、手段と、
前記少なくとも１つのＵＥについての位置情報を前記第２の基地局から受け取る手段と、
前記少なくとも１つのＵＥについての前記位置情報に基づき前記第１の基地局についての位置推定値を判定する手段と
を備える装置。
［Ｃ１２］
前記第１の基地局についての前記位置推定値を判定する手段は、
前記少なくとも１つのＵＥについての複数の位置推定値を前記位置情報から取得する手段と、
前記少なくとも１つのＵＥについての前記複数の位置推定値を平均し、前記第１の基地局についての前記位置推定値を取得する手段と
を備える、Ｃ１１に記載の装置。
［Ｃ１３］
前記第１の基地局についての前記位置推定値を判定する手段は、
前記少なくとも１つのＵＥについての複数の往復時間（ＲＴＴ）測定値を取得する手段と、
前記少なくとも１つのＵＥについての複数の位置推定値を前記位置情報から取得する手段と、
前記少なくとも１つのＵＥについての前記複数のＲＴＴ測定値及び前記複数の位置推定値に基づき前記第１の基地局についての前記位置推定値を判定する手段と
を備える、Ｃ１１に記載の装置。
［Ｃ１４］
コンピュータ・プログラムプロダクトであって、
コンピュータ読み取り可能媒体を備え、前記コンピュータ読み取り可能媒体は、
少なくとも１つのコンピュータに、少なくとも１つのユーザ機器（ＵＥ）についての少なくとも１つの位置要求を第１の基地局から第２の基地局へ送ることを実行させるコードであって、前記少なくとも１つのＵＥは前記第１及び第２の基地局の双方の無線有効範囲内にある、コードと、
前記少なくとも１つのコンピュータに、前記少なくとも１つのＵＥについての位置情報を前記第２の基地局から受け取ることを実行させるコードと、
前記少なくとも１つのコンピュータに、前記少なくとも１つのＵＥについての前記位置情報に基づき前記第１の基地局についての位置推定値を判定することを実行させるコードと
を備えるコンピュータ・プログラムプロダクト。
［Ｃ１５］
前記コンピュータ読み取り可能媒体は、
前記少なくとも１つのコンピュータに、前記少なくとも１つのＵＥについての複数の位置推定値を前記位置情報から取得することを実行させるコードと、
前記少なくとも１つのコンピュータに、前記少なくとも１つのＵＥについての前記複数の位置推定値を平均し、前記第１の基地局についての前記位置推定値を取得することを実行させるコードと
を更に備える、Ｃ１４に記載のコンピュータ・プログラムプロダクト。
［Ｃ１６］
前記コンピュータ読み取り可能媒体は、
前記少なくとも１つのコンピュータに、前記少なくとも１つのＵＥについての複数の往復時間（ＲＴＴ）測定値を取得することを実行させるコードと、
前記少なくとも１つのコンピュータに、前記少なくとも１つのＵＥについての複数の位置推定値を前記位置情報から取得することを実行させるコードと、
前記少なくとも１つのコンピュータに、前記少なくとも１つのＵＥについての前記複数のＲＴＴ測定値及び前記複数の位置推定値に基づき前記第１の基地局についての前記位置推定値を判定することを実行させるコードと
を更に備える、Ｃ１４に記載のコンピュータ・プログラムプロダクト。
［Ｃ１７］
セルラ通信ネットワークにおいて測位を実行する方法であって、
少なくとも１つのユーザ機器（ＵＥ）についての少なくとも１つの位置要求を受け取ることであって、前記少なくとも１つの位置要求は第１の基地局から第２の基地局へ送られ、前記少なくとも１つのＵＥは前記第１及び第２の基地局の双方の無線有効範囲内にあることと、
前記少なくとも１つの位置要求に応答して前記少なくとも１つのＵＥについての位置情報を取得することと、
前記少なくとも１つのＵＥについての前記位置情報を前記第２の基地局から前記第１の基地局へ送ることであって、前記位置情報は、前記第１の基地局についての位置推定値を判定するため前記第１の基地局によって使用されることと
を備える方法。
［Ｃ１８］
セルラ通信ネットワークにおいて測位を実行する方法であって、
第１の基地局についての位置要求を第２の基地局へ送ることと、
前記第１の基地局についての位置推定値を前記第２の基地局から受け取ることであって、前記位置推定値は、前記第１及び第２の基地局の双方の無線有効範囲内の少なくとも１つのユーザ機器（ＵＥ）について取得された位置情報に基づいて判定されることと
を備える方法。
［Ｃ１９］
セルラ通信ネットワークにおいて測位を実行する方法であって、
第１の基地局についての位置要求を第２の基地局で受け取ることと、
前記第１及び第２の基地局の双方の無線有効範囲内の少なくとも１つのユーザ機器（ＵＥ）についての位置情報を取得することと、
前記少なくとも１つのＵＥについての位置情報に基づいて前記第１の基地局についての位置推定値を判定することと、
前記位置推定値を前記第１の基地局へ送ることと
を備える方法。
［Ｃ２０］
前記第１の基地局についての前記位置推定値を判定することは、
前記少なくとも１つのＵＥについての複数の位置推定値を前記位置情報から取得することと、
前記少なくとも１つのＵＥについての前記複数の位置推定値を平均し、前記第１の基地局についての前記位置推定値を取得することと
を備える、Ｃ１９に記載の方法。
［Ｃ２１］
前記第１の基地局についての前記位置推定値を判定することは、
前記少なくとも１つのＵＥについての複数の往復時間（ＲＴＴ）測定値を取得することと、
前記少なくとも１つのＵＥについての複数の位置推定値を前記位置情報から取得することと、
前記少なくとも１つのＵＥについての前記複数のＲＴＴ測定値及び前記複数の位置推定値に基づき前記第１の基地局についての前記位置推定値を判定することと
を備える、Ｃ１９に記載の方法。
［Ｃ２２］
前記少なくとも１つのＵＥについての前記複数のＲＴＴ測定値を取得することは、
少なくとも１つのＲＴＴ要求を前記第１の基地局へ送ることと、
前記少なくとも１つのＵＥについての前記複数のＲＴＴ測定値を前記第１の基地局から受け取ることと
を備える、Ｃ２１に記載の方法。
［Ｃ２３］
前記少なくとも１つのＵＥについての前記複数のＲＴＴ測定値を取得することは、前記複数のＲＴＴ測定値を前記少なくとも１つのＵＥから受け取ることを備える、Ｃ２１に記載の方法。
［Ｃ２４］
前記少なくとも１つのＵＥのリストを前記第１の基地局から受け取ることを更に備える、Ｃ１９に記載の方法。
［Ｃ２５］
前記少なくとも１つのＵＥから受け取られた測定値レポートに基づいて前記少なくとも１つのＵＥを特定すること
を更に備える、Ｃ１９に記載の方法。
［Ｃ２６］
前記少なくとも１つのＵＥは複数のＵＥを備え、前記位置情報は前記複数のＵＥについての複数の位置推定値を備え、前記第１の基地局についての前記位置推定値は、前記複数のＵＥについての前記複数の位置推定値に基づき判定される、Ｃ１９に記載の方法。
［Ｃ２７］
前記少なくとも１つのＵＥは単一のＵＥを備え、前記位置情報は、単一のＵＥについて異なる時間に取得された複数の位置推定値を備え、前記第１の基地局についての前記位置推定値は、前記単一のＵＥについての前記複数の位置推定値に基づき判定される、Ｃ１９に記載の方法。
［Ｃ２８］
前記少なくとも１つのＵＥについての前記位置情報を取得すること及び前記第１の基地局についての前記位置推定値を判定することは、前記第１の基地局についての前記位置要求を受け取ることの前に実行され、前記位置推定値を前記第１の基地局へ送ることは、前記位置要求の受け取りに応答して実行される、Ｃ１９に記載の方法。
［Ｃ２９］
前記第１の基地局を備える複数の基地局についての位置推定値のデータベースを保持することと、
前記複数の基地局の無線有効範囲内のＵＥについての位置推定値が利用可能になったとき、前記複数の基地局についての前記位置推定値を更新することと
を更に備える、Ｃ１９に記載の方法。
［Ｃ３０］
前記第１の基地局は、フェムトセルのために無線有効範囲を提供するホーム基地局を備え、前記第２の基地局は、前記フェムトセルを包含するマクロセルのために無線有効範囲を提供する、Ｃ１９に記載の方法。
［Ｃ３１］
前記少なくとも１つのＵＥは、前記第１の基地局へのアクセスを許可されていないＵＥを備える、Ｃ１９に記載の方法。
［Ｃ３２］
無線通信装置であって、
第１の基地局についての位置要求を第２の基地局で受け取り、前記第１及び第２の基地局の双方の無線有効範囲内の少なくとも１つのユーザ機器（ＵＥ）についての位置情報を取得し、前記少なくとも１つのＵＥについての前記位置情報に基づき前記第１の基地局についての位置推定値を判定し、前記位置推定値を前記第１の基地局へ送るように構成される少なくとも１つのプロセッサを備える、装置。
［Ｃ３３］
前記少なくとも１つのプロセッサは、前記少なくとも１つのＵＥについての複数の位置推定値を前記位置情報から取得し、前記少なくとも１つのＵＥについての前記複数の位置推定値を平均し、前記第１の基地局についての前記位置推定値を取得するように構成される、Ｃ３２に記載の装置。
［Ｃ３４］
前記少なくとも１つのプロセッサは、前記少なくとも１つのＵＥについての複数の往復時間（ＲＴＴ）測定値を取得し、前記少なくとも１つのＵＥについての複数の位置推定値を前記位置情報から取得し、前記少なくとも１つのＵＥについての前記複数のＲＴＴ測定値及び前記複数の位置推定値に基づき前記第１の基地局についての前記位置推定値を判定するように構成される、Ｃ３２に記載の装置。
［Ｃ３５］
前記少なくとも１つのプロセッサは、少なくとも１つのＲＴＴ要求を前記第１の基地局へ送り、前記少なくとも１つのＵＥについての前記複数のＲＴＴ測定値を前記第１の基地局から受け取るように構成される、Ｃ３４に記載の装置。
［Ｃ３６］
セルラ通信ネットワークにおいて測位を実行する方法であって、
ユーザ機器（ＵＥ）についての位置要求を前記ＵＥで受け取ることであって、前記ＵＥは第１及び第２の基地局の双方の無線有効範囲内にあることと、
前記第２の基地局を用いて測位を実行して前記ＵＥについての位置推定値を取得することであって、前記ＵＥについての前記位置推定値は、前記第１の基地局についての位置推定値を判定するために使用されることと
を備える方法。
［Ｃ３７］
前記ＵＥについての前記位置推定値を前記第１の基地局へ送ること
を更に備える、Ｃ３６に記載の方法。
［Ｃ３８］
前記第１の基地局とシグナリングを交換して往復時間（ＲＴＴ）測定値を取得すること、及び前記第１の基地局についての前記位置推定値は更に前記ＲＴＴ測定値に基づいて判定されること
を更に備える、Ｃ３６に記載の方法。
［Ｃ３９］
前記ＵＥについての第２の位置要求を後続の時間に受け取ることと、
前記第２の位置要求に応答して前記第２の基地局を用いる測位を実行し、前記ＵＥについての第２の位置推定値を取得し、前記ＵＥについての前記第２の位置推定値は、前記第１の基地局についての前記位置推定値を判定するために使用されることと
を更に備える、Ｃ３６に記載の方法。
［Ｃ４０］
前記第１の基地局を前記ＵＥによって検出可能であるとして特定する測定値レポートを前記第２の基地局へ送ること
を更に備える、Ｃ３６に記載の方法。
［Ｃ４１］
無線通信装置であって、
ユーザ機器（ＵＥ）についての位置要求を前記ＵＥで受け取り、前記ＵＥは第１及び第２の基地局の双方の無線有効範囲内にあり、前記第２の基地局を用いる測位を実行して前記ＵＥについての位置推定値を取得し、前記ＵＥについての前記位置推定値は、前記第１の基地局についての位置推定値を判定するために使用されるように構成される少なくとも１つのプロセッサを備える、装置。
［Ｃ４２］
前記少なくとも１つのプロセッサは、前記第１の基地局とシグナリングを交換して往復時間（ＲＴＴ）測定値を取得するように構成され、前記第１の基地局についての前記位置推定値は更に前記ＲＴＴ測定値に基づいて判定される、Ｃ４１に記載の装置。
［Ｃ４３］
前記少なくとも１つのプロセッサは、前記第１の基地局を前記ＵＥによって検出可能であるとして特定する測定値レポートを前記第２の基地局へ送るように構成される、Ｃ４１に記載の装置。
【外国語明細書】
2014225899000001.pdf